(57)【特許請求の範囲】
【請求項１】
通信システムで作動可能な端末によって実行される方法であって、
キャリア上での基準信号送信のための送信モードを少なくとも長期サイクル不連続送信モード及び短期サイクル不連続送信モードの中から設定する段階であって、該長期サイクル不連続送信モードが、該短期サイクル不連続送信モードよりも長い送信不連続期間を有する前記設定する段階と、
前記設定された送信モードに従って前記キャリア上での少なくとも１つの基準信号の送信を構成する段階と、
を含み、
前記キャリア上での前記少なくとも１つの基準信号の送信構成に関する情報を通信システムの基地局又はアクセスノードと端末とのうちの少なくとも一方に信号伝達する段階、及び／又は
前記キャリア上での少なくとも１つの基準信号の送信構成に関する情報を通信システムの基地局又はアクセスノードから取得する段階、
を更に含むことを特徴とする方法。
【請求項２】
前記送信モードは、サービングセル及び／又は２次セル及び／又は測定オブジェクトセルとしての前記キャリアのアクティブ化状態と該キャリア上での無線リソース管理測定の期間とのうちの少なくとも一方に基づいて設定され、及び／又は
前記少なくとも１つの基準信号の前記送信は、前記キャリア上でのサブフレームベースで構成される、
ことを特徴とする請求項１に記載の方法。
【請求項３】
サービングセル及び／又は２次セル及び／又は測定オブジェクトセルとしての前記キャリアのアクティブ化状態を決定する段階、及び／又は
前記キャリア上での無線リソース管理測定の期間を決定する段階、
を更に含むことを特徴とする請求項１又は請求項２に記載の方法。
【請求項４】
前記アクティブ化状態決定は、前記キャリア上でアクティブ化されたサービングセル及び／又は２次セル及び／又は構成された測定オブジェクトのうちの少なくとも１つにおける端末の有無をモニタする段階を含み、該キャリアの該アクティブ化状態は、少なくとも１つの前記端末の存在がモニタされた時にアクティブ化された状態として決定され、該キャリアの該アクティブ化状態は、そのような端末の不在がモニタされた時に非アクティブ化された状態として決定され、及び／又は
前記リソース管理測定期間決定は、前記キャリアに対してオン期間又はオフ期間を確立する段階を含む、
ことを特徴とする請求項３に記載の方法。
【請求項５】
前記短期サイクル不連続送信モードは、前記キャリアの前記アクティブ化状態がアクティブ化された状態として決定された時に該キャリア上での基準信号送信のための送信モードとして設定され、又は
前記長期サイクル不連続送信モードは、前記キャリアの前記アクティブ化状態が非アクティブ化された状態として決定された時に該キャリア上での基準信号送信のための送信モードとして設定され、又は
前記長期サイクル不連続送信モードは、前記キャリアの前記アクティブ化状態が非アクティブ化された状態として決定され、かつ該キャリア上での前記無線リソース管理測定期間がオン期間として決定された時に該キャリア上での基準信号送信のための送信モードとして設定され、該キャリア上でいずれの基準信号送信も行わない送信モードが、該キャリアの該アクティブ化状態が非アクティブ化された状態として決定され、かつ該キャリア上での該無線リソース管理測定期間がオフ期間として決定された時に設定される、
ことを特徴とする請求項３又は請求項４に記載の方法。
【請求項６】
前記キャリア上での送信に対して構成された前記少なくとも１つの基準信号は、前記設定された送信モードに従って及び／又は前記決定された該キャリア上での無線リソース管理測定の期間に従って指定される、
ことを特徴とする請求項３から請求項５のいずれか１項に記載の方法。
【請求項７】
前記少なくとも１つの基準信号は、前記キャリア上での前記無線リソース管理測定期間がオン期間として決定された時に端末での該キャリア上の無線リソース管理測定を可能にするのに適する１つ又はそれよりも多くの基準信号を含み、及び／又は
前記少なくとも１つの基準信号は、前記キャリアの前記アクティブ化状態がアクティブ化された状態として決定された時に端末での該キャリア上の時間同期、周波数同期、追跡、チャネル品質測定、チャネル推定、チャネル復調、及び無線リソース管理測定のうちの１つ又はそれよりも多くを可能にするのに適する１つ又はそれよりも多くの基準信号を含む、
ことを特徴とする請求項６に記載の方法。
【請求項８】
前記キャリアがオンに切り換えられ、及び／又は該キャリア上のデータスケジューリングが開始される時に作動可能である、
ことを特徴とする請求項１から請求項７のいずれか１項に記載の方法。
【請求項９】
方法が、通信システムの基地局又はアクセスノードにおいて又はそれによって作動可能であり、及び／又は
前記キャリアは、キャリア集約を受けるキャリアであり、及び／又は
前記少なくとも１つの基準信号は、共通基準信号、チャネル状態情報基準信号、１次同期信号、２次同期信号、及び物理的ブロードキャストチャネルのうちの１つ又はそれよりも多くを含む、
ことを特徴とする請求項１から請求項８のいずれか１項に記載の方法。
【請求項１０】
通信システムで作動可能な端末によって実行される方法であって、
通信システムの基地局又はアクセスノードからのキャリア上での基準信号送信のための送信モードを少なくとも長期サイクル不連続送信モード及び短期サイクル不連続送信モードの中から決定する段階であって、該長期サイクル不連続送信モードが、該短期サイクル不連続送信モードよりも長い送信不連続期間を有する前記決定する段階と、
前記決定された送信モードを前記キャリア上での基準信号受信のための受信モードとして設定する段階と、
を含み、
前記キャリア上での前記少なくとも１つの基準信号の送信構成に関する情報を通信システムの基地局又はアクセスノードと端末とのうちの少なくとも一方に信号伝達する段階、及び／又は
前記キャリア上での少なくとも１つの基準信号の送信構成に関する情報を通信システムの基地局又はアクセスノードから取得する段階、
を更に含むことを特徴とする方法。
【請求項１１】
決定する段階は、
キャリア上での少なくとも１つの基準信号の送信構成に関する情報を通信システムの基地局又はアクセスノードから取得する段階であって、該情報が、該キャリア上での基準信号受信に関して設定される前記受信モードを示す前記取得する段階、及び／又は
通信システムの基地局又はアクセスノードから送信されている前記キャリア上で無線リソース管理測定を実行する段階、
を含む、
ことを特徴とする請求項１０に記載の方法。
【請求項１２】
前記キャリア上での基準信号受信のための前記設定された受信モードと該キャリア上での少なくとも１つの基準信号の受信構成とのうちの少なくとも一方に基づいて該キャリア及び／又は該キャリア上の手順を作動させる段階、
を更に含むことを特徴とする請求項１０又は請求項１１に記載の方法。
【請求項１３】
前記キャリアは、キャリア集約を受けるキャリアであり、
前記少なくとも１つの基準信号は、共通基準信号、チャネル状態情報基準信号、１次同期信号、２次同期信号、及び物理的ブロードキャストチャネルのうちの１つ又はそれよりも多くを含む、
ことを特徴とする請求項１０から請求項１２のいずれか１項に記載の方法。
【請求項１４】
装置であって、
少なくとも別の装置と通信するように構成されたインタフェースと、
コンピュータプログラムコードを格納するように構成されたメモリと、
装置をして、
キャリア上での基準信号送信のための送信モードを少なくとも長期サイクル不連続送信モード及び短期サイクル不連続送信モードの中から設定する段階であって、該長期サイクル不連続送信モードが、該短期サイクル不連続送信モードよりも長い送信不連続期間を有する前記設定する段階と、
前記設定された送信モードに従って前記キャリア上での少なくとも１つの基準信号の送信を構成する段階と、
を実行させるように構成されたプロセッサと、
を含み、
前記プロセッサは、装置をして、
前記キャリア上での前記少なくとも１つの基準信号の送信構成に関する情報を通信システムの基地局又はアクセスノードと端末とのうちの少なくとも一方に信号伝達する段階、及び／又は
前記キャリア上での少なくとも１つの基準信号の送信構成に関する情報を通信システムの基地局又はアクセスノードから取得する段階、
を実行させるように構成される、
ことを特徴とする装置。
【請求項１５】
前記プロセッサは、
前記送信モードが、サービングセル及び／又は２次セル及び／又は測定オブジェクトセルとしての前記キャリアのアクティブ化状態と該キャリア上での無線リソース管理測定の期間とのうちの少なくとも一方に基づいて設定され、及び／又は
前記少なくとも１つの基準信号の前記送信が、前記キャリア上でサブフレームベースで構成される、
ことを引き起こすように構成される、
ことを特徴とする請求項１４に記載の装置。
【請求項１６】
前記プロセッサは、装置をして、
サービングセル及び／又は２次セル及び／又は測定オブジェクトセルとしての前記キャリアのアクティブ化状態を決定する段階、及び／又は
前記キャリア上での無線リソース管理測定の期間を決定する段階、
を実行させるように構成される、
ことを特徴とする請求項１４又は請求項１５に記載の装置。
【請求項１７】
前記プロセッサは、装置をして、
前記キャリア上でアクティブ化されたサービングセル及び／又は２次セル及び／又は構成された測定オブジェクトのうちの少なくとも１つにおける端末の有無をモニタすることによる前記アクティブ化状態決定であって、該キャリアの該アクティブ化状態が、少なくとも１つの前記端末の存在がモニタされた時にアクティブ化された状態として決定され、該キャリアの該アクティブ化状態が、そのような端末の不在がモニタされた時に非アクティブ化された状態として決定される前記アクティブ化状態決定、及び／又は
前記キャリアに対してオン期間又はオフ期間を確立することによる前記リソース管理測定期間決定、
を実行させるように構成される、
ことを特徴とする請求項１６に記載の装置。
【請求項１８】
前記プロセッサは、
前記短期サイクル不連続送信モードが、前記キャリアの前記アクティブ化状態がアクティブ化された状態として決定された時に該キャリア上での基準信号送信のための送信モードとして設定され、又は
前記長期サイクル不連続送信モードが、前記キャリアの前記アクティブ化状態が非アクティブ化された状態として決定された時に該キャリア上での基準信号送信のための送信モードとして設定され、又は
前記長期サイクル不連続送信モードが、前記キャリアの前記アクティブ化状態が非アクティブ化された状態として決定され、かつ該キャリア上での前記無線リソース管理測定期間がオン期間として決定された時に該キャリア上での基準信号送信のための送信モードとして設定され、該キャリア上でいずれの基準信号送信も行わない送信モードが、該キャリアの該アクティブ化状態が非アクティブ化された状態として決定され、かつ該キャリア上での該無線リソース管理測定期間がオフ期間として決定された時に設定される、
ことを引き起こすように構成される、
ことを特徴とする請求項１６又は請求項１７に記載の装置。
【請求項１９】
前記プロセッサは、
前記キャリア上での送信に対して構成された前記少なくとも１つの基準信号が、前記設定された送信モードに従って及び／又は前記決定された該キャリア上での無線リソース管理測定の期間に従って指定される、
ことを引き起こすように構成される、
ことを特徴とする請求項１６から請求項１８のいずれか１項に記載の装置。
【請求項２０】
前記少なくとも１つの基準信号は、前記キャリア上での前記無線リソース管理測定期間がオン期間として決定された時に端末での該キャリア上の無線リソース管理測定を可能にするのに適する１つ又はそれよりも多くの基準信号を含み、及び／又は
前記少なくとも１つの基準信号は、前記キャリアの前記アクティブ化状態がアクティブ化された状態として決定された時に端末での該キャリア上の時間同期、周波数同期、追跡、チャネル品質測定、チャネル推定、チャネル復調、及び無線リソース管理測定のうちの１つ又はそれよりも多くを可能にするのに適する１つ又はそれよりも多くの基準信号を含む、
ことを特徴とする請求項１９に記載の装置。
【請求項２１】
前記プロセッサは、前記キャリアがオンに切り換えられ、及び／又は該キャリア上でデータスケジューリングが開始される時に前記設定及び構成する作動を引き起こすように構成されることを特徴とする請求項１４から請求項２０のいずれか１項に記載の装置。
【請求項２２】
装置が、通信システムの基地局又はアクセスノードにおいて又はそれによって作動可能であり、及び／又は
前記キャリアは、キャリア集約を受けるキャリアであり、及び／又は
前記少なくとも１つの基準信号は、共通基準信号、チャネル状態情報基準信号、１次同期信号、２次同期信号、及び物理的ブロードキャストチャネルのうちの１つ又はそれよりも多くを含む、
ことを特徴とする請求項１４から請求項２１のいずれか１項に記載の装置。
【請求項２３】
装置であって、
少なくとも別の装置と通信するように構成されたインタフェースと、
コンピュータプログラムコードを格納するように構成されたメモリと、
装置をして、
通信システムの基地局又はアクセスノードからのキャリア上での基準信号送信のための送信モードを少なくとも長期サイクル不連続送信モード及び短期サイクル不連続送信モードの中から決定する段階であって、該長期サイクル不連続送信モードが、該短期サイクル不連続送信モードよりも長い送信不連続期間を有する前記決定する段階と、
前記決定された送信モードを前記キャリア上での基準信号受信のための受信モードとして設定する段階と、
を実行させるように構成されたプロセッサと、
を含み、
前記プロセッサは、装置をして、
前記キャリア上での前記少なくとも１つの基準信号の送信構成に関する情報を通信システムの基地局又はアクセスノードと端末とのうちの少なくとも一方に信号伝達する段階、及び／又は
前記キャリア上での少なくとも１つの基準信号の送信構成に関する情報を通信システムの基地局又はアクセスノードから取得する段階、
を実行させるように構成される、
ことを特徴とする装置。
【請求項２４】
前記プロセッサは、装置をして、
キャリア上での少なくとも１つの基準信号の送信構成に関する情報を通信システムの基地局又はアクセスノードから取得する段階であって、該情報が、該キャリア上での基準信号受信に関して設定される前記受信モードを示す前記取得する段階、及び／又は
通信システムの基地局又はアクセスノードから送信されている前記キャリア上で無線リソース管理測定を実行する段階、
を実行させるように構成される、
ことを特徴とする請求項２３に記載の装置。
【請求項２５】
前記プロセッサは、装置をして、
前記キャリア上での基準信号受信のための前記設定された受信モードと該キャリア上での少なくとも１つの基準信号の受信構成とのうちの少なくとも一方に基づいて該キャリア及び／又は該キャリア上のいずれかの手順を作動させる段階、
を実行させるように構成される、
ことを特徴とする請求項２３又は請求項２４に記載の装置。
【請求項２６】
装置が、前記通信システム内で作動可能な端末として又はその端末において作動可能であり、及び／又は
前記キャリアは、キャリア集約を受けるキャリアであり、及び／又は
前記少なくとも１つの基準信号は、共通基準信号、チャネル状態情報基準信号、１次同期信号、２次同期信号、及び物理的ブロードキャストチャネルのうちの１つ又はそれよりも多くを含む、
ことを特徴とする請求項２３から請求項２５のいずれか１項に記載の装置。
【請求項２７】
プログラムがコンピュータ上で実行された時に請求項１から請求項９のいずれか１項に記載の方法又は請求項１０から請求項１３のいずれか１項に記載の方法を該コンピュータに実行させるように構成されたコンピュータ実行可能コンピュータプログラムコード、
を含むことを特徴とするコンピュータプログラム。
【請求項２８】
コンピュータプログラムが、前記コンピュータ実行可能コンピュータプログラムコードが格納されたコンピュータ可読媒体を含み、及び／又は
前記プログラムは、プロセッサの内部メモリの中に直接にロード可能である、
ことを特徴とする請求項２７に記載のコンピュータプログラム。
【発明の詳細な説明】
【技術分野】
【０００１】
本発明は、キャリア関連の基準信号送信の構成に関する。より具体的には、本発明は、キャリア関連の基準信号送信の構成を実現するための手段（方法、装置、及びコンピュータプログラム製品を含む）に例示的に関連する。
【背景技術】
【０００２】
本明細書は、一般的に、ＵＭＴＳ、ＨＳＰＡ、又はＬＴＥ／ＬＴＥ−Ａなどのような通信システム及び／又はネットワーク配備におけるキャリア実装に関する。より具体的には、本明細書は、一般的に、このような通信システム及び／又はネットワーク配備におけるキャリア集約（ＣＡ）技術の関連でのキャリア実装、特に、ネットワーク側（例えば、基地局又はアクセスノードを表すｅＮｏｄｅＢ）でのエネルギ節約を可能にするキャリア実装に関する。
【０００３】
このようなシステム及び／又はネットワーク配備では、キャリア集約（ＣＡ）技術の関連においてだけでなく、様々な基準信号がネットワーク側（例えば、基地局又はアクセスノードを表すｅＮｏｄｅＢ）から端末側（例えば、ＵＥ）に送信される。例えば、３ＧＰＰシステムにおいて、ＣＲＳ、ＣＳＩ−ＲＳ、ＰＳＳ、ＳＳＳ、及び／又はＰＢＣＨのような基準信号は、ｅＮｏｄｅＢによってキャリア（場合によってはＣＡを受ける）で送信され、時間同期、周波数同期、追跡、ＣＱＩ測定、チャネル推定、チャネル復調、及びＲＲＭ測定のうちの１つ又はそれよりも多くのためにＵＥによって使用される。例えば、ＣＲＳを含むこのような基準信号は、典型的には、ＵＥにおける上述の手順の適切な実行を可能にするために、キャリア上でＴＴＩ毎に（例えば、サブフレーム毎に）送信される。
【０００４】
これは、ｅＮｏｄｅＢにおけるエネルギ節約を可能にするためにこのような基準信号（例えば、ＣＲＳを含む）を搬送するキャリアの送信をオフに切り換える前に、ｅＮｏｄｅＢは、対応するキャリア上で上述の手順のうちのいずれか１つを実行するように構成されたＵＥがそのカバレッジエリア内にないことを確認しなければならないことを意味する。
【０００５】
実際のところ、キャリアのオフ切り換えのためのこのような要件は、対応するセル（すなわち、対応するキャリア上でのＰＣｅｌｌ）がいずれかのＵＥの隣接リスト内に含まれているべきではないこと、及び対応するキャリア上での全ＳＣｅｌｌを構成解除しなければならず、又はこれに代えて、対応するキャリア上での全ＳＣｅｌｌを非アクティブ化して、非アクティブ化されたＳＣｅｌｌ測定サイクル（例えば、無限に設定された測定サイクル）で構成しなければならないという制約をもたらす。実際のところ、これらの制約は、ＳＣｅｌｌ限定キャリアとしてキャリアを構成する時でさえも、このキャリアの送信のオフ切り換えが、厳しい条件を受ける極めて重い手順であることを意味する。その結果、低速のトラフィック変動への適応のみが、このような従来のキャリアオフ切り換え手順を通して可能である。
【０００６】
ｅＮｏｄｅＢにおけるエネルギ節約を可能にするために時間及び周波数領域での基準信号の信号伝達を低減する努力（従来の及び／又は下位互換のキャリアと比較して）において、ＣＲＳ帯域幅の低減（すなわち、システム帯域幅よりも狭いＣＲＳ帯域幅）、ＣＲＳ送信の周波数の低下（すなわち、全てのサブフレームでのＣＲＳ送信の回避）、ＣＲＳの代わりにＣＳＩ−ＲＳを使用することが考えられる。しかし、このような考え得る手法では、時間及び周波数同期、追跡、及びＲＲＭ測定のための基準信号を供給しなければならない。これは、すなわち、対応するキャリア上で上述の手順のうちのいずれか１つを実行するように構成されたＵＥが存在する限り、ｅＮｏｄｅＢが、与えられた周波数及び時間分解能で何らかの基準信号を継続的に供給する必要があることを意味する。その結果、特にＣＡ技術の関連においては、ｅＮｏｄｅＢで実際に得られるエネルギ節約は、極めて制限される。
【０００７】
従って、いずれの従来の及び／又は下位互換のキャリア実装も、低速のトラフィック変動への適応性及び制限されたエネルギ節約の可能性を与えるものに過ぎない。
【発明の概要】
【発明が解決しようとする課題】
【０００８】
従って、高速トラフィック変動への適応性及びエネルギ節約の可能性強化を実現することができる、キャリア関連の基準信号送信の構成を提供する必要性が存在する。
【課題を解決するための手段】
【０００９】
本発明の様々な例示的な実施形態は、上述の課題及び／又は問題、及び欠点のうちの少なくとも一部に対処することを目指すものである。
【００１０】
本発明の例示的な実施形態の様々な態様は、添付の特許請求の範囲に示されている。
【００１１】
本発明の例示的な態様により、キャリア上での基準信号送信のための送信モードを少なくとも長期サイクル不連続送信モード及び短期サイクル不連続送信モードの中から設定する段階であって、長期サイクル不連続送信モードが、短期サイクル不連続送信モードよりも長い送信不連続期間を有する上記設定する段階と、設定された送信モードに従ってキャリア上での少なくとも１つの基準信号の送信を構成する段階とを含む方法を提供する。
【００１２】
本発明の例示的な態様により、通信システムの基地局又はアクセスノードからのキャリア上での基準信号送信のための送信モードを少なくとも長期サイクル不連続送信モード及び短期サイクル不連続送信モードの中から決定する段階であって、長期サイクル不連続送信モードが、短期サイクル不連続送信モードよりも長い送信不連続期間を有する上記決定する段階と、決定された送信モードをキャリア上での基準信号受信のための受信モードとして設定する段階とを含む方法を提供する。
【００１３】
本発明の例示的な態様により、装置を提供し、装置は、少なくとも別の装置と通信するように構成されたインタフェースと、コンピュータプログラムコードを格納するように構成されたメモリと、装置をして、キャリア上での基準信号送信のための送信モードを少なくとも長期サイクル不連続送信モード及び短期サイクル不連続送信モードの中から設定する段階であって、長期サイクル不連続送信モードが、短期サイクル不連続送信モードよりも長い送信不連続期間を有する上記設定する段階、及び設定された送信モードに従ってキャリア上での少なくとも１つの基準信号の送信を構成する段階を実行させるように構成されたプロセッサとを含む。
【００１４】
本発明の例示的な態様により、装置を提供し、装置は、少なくとも別の装置と通信するように構成されたインタフェースと、コンピュータプログラムコードを格納するように構成されたメモリと、装置をして、通信システムの基地局又はアクセスノードからのキャリア上での基準信号送信のための送信モードを少なくとも長期サイクル不連続送信モード及び短期サイクル不連続送信モードの中から決定する段階であって、長期サイクル不連続送信モードが、短期サイクル不連続送信モードよりも長い送信不連続期間を有する上記決定する段階、及び決定された送信モードをキャリア上での基準信号受信のための受信モードとして設定する段階を実行させるように構成されたプロセッサとを含む。
【００１５】
本発明の例示的な態様により、プログラムがコンピュータ（例えば、本発明の上述の装置関連の例示的な態様のいずれか１つによる装置のコンピュータ）上で実行された時にコンピュータをして本発明の上述の方法関連の例示的な態様のいずれか１つによる方法を実行させるように構成されたコンピュータ実行可能コンピュータプログラムコードを含むコンピュータプログラム製品を提供する。
【００１６】
コンピュータプログラム製品は、コンピュータ実行可能コンピュータプログラムコードが格納された（有形）コンピュータ可読（ストレージ）媒体などを含むことができ、又はそれとして具現化することができ、及び／又はプログラムは、コンピュータ又はそのプロセッサの内部メモリの中に直接にロード可能である。
【００１７】
本発明の上述の例示的な態様の有利な更に別の展開又は修正は、以下に示されている。
【００１８】
上述の態様のいずれの１つも、高速トラフィック変動への適応性及びエネルギ節約の可能性強化を実現することができるキャリア関連の基準信号送信の構成を可能にする。
【００１９】
すなわち、キャリア関連の基準信号送信の高度な構成を可能にする／実現する方法、装置、及びコンピュータプログラム製品によって改善が達成される。
【００２０】
以下に添付図面を参照して本発明を非限定的な例としてより詳細に説明する。
【図面の簡単な説明】
【００２１】
【図１】本発明の例示的な実施形態によるネットワーク側での手順の第１の例の概略図である。
【図２】本発明の例示的な実施形態によるネットワーク側での手順の第２の例の概略図である。
【図３】本発明の例示的な実施形態による基準信号送信の構成のためのキャリア関連の状態機械の概略図である。
【図４】本発明の例示的な実施形態によるサブフレームベースの基準信号送信の構成の例のタイムチャートを示す図である。
【図５】本発明の例示的な実施形態による手順の第３の例の概略図である。
【図６】本発明の例示的な実施形態による例示的な情報交換手順の概略図である。
【図７】本発明の例示的な実施形態による端末側での手順の第１の例の概略図である。
【図８】本発明の例示的な実施形態による端末側での手順の第２の例の概略図である。
【図９】本発明の例示的な実施形態による例示的な装置の概略図である。
【発明を実施するための形態】
【００２２】
特定の非限定的な例及び本発明の考え得る実施形態と現在見なされているものを参照して本明細書で本発明を説明する。当業者は、本発明がこれらの例に決して限定されず、より広範に適用可能であることを認めるであろう。
【００２３】
本発明及びその実施形態の以下の説明は、特定の例示的なネットワーク構成及び配備のための非限定的な例として用いる仕様を主に参照することに注意されるものとする。すなわち、本発明及びその実施形態は、特定の例示的なネットワーク構成及び配備のための非限定的な例として用いる３ＧＰＰ仕様に関連して主に説明する。従って、本明細書に示す例示的な実施形態の説明は、特にこれに直接関連する用語を参照する。このような用語は、提示する非限定的な例との関連でのみ使用し、当然ながら、本発明を決して制限するものではない。むしろ、他のあらゆるネットワーク構成又はシステム配備なども、本明細書で説明する特徴に準拠する限り利用することができる。
【００２４】
特に、本発明及びその実施形態は、キャリアを通して基準信号送信が行われるあらゆる通信システム及び／又はネットワーク配備に適用可能とすることができる。
【００２５】
以下、本発明の様々な実施形態及び実装、並びにその態様又は実施形態をいくつかの変形及び／又は代替形態を用いて説明する。一般的に、特定の必要性及び制約により、説明する変形及び／又は代替形態の全ては、単独で又はいずれかの考え得る組合せ（様々な変形及び／又は代替形態の個々の特徴の組合せも含む）で提供可能であることに注意されたい。
【００２６】
本発明の例示的な実施形態により、広い意味では、キャリア関連の基準信号送信の構成（を可能にする／実現する）ための手段及び機構を提供する。
【００２７】
以下、基準信号（ＲＳ）と一般的に言及する場合に、このような基準信号は、具体的に、例えば、共通基準信号（ＣＲＳ）、チャネル状態情報基準信号（ＣＳＩ−ＲＳ）、１次同期信号（ＰＳＳ）、２次同期信号（ＳＳＳ）、及び物理的ブロードキャストチャネル（ＰＢＣＨ）のうちの１つ又はそれよりも多くを含むことができる。
【００２８】
図１は、本発明の例示的な実施形態によるネットワーク側での手順の第１の例の概略図を示している。
【００２９】
図１による例示的な手順は、通信システムの基地局又はアクセスノード（例えば、ｅＮｏｄｅＢ）のようなネットワーク要素（又はそのモデム）において又はそれによって実行することができる。
【００３０】
図１に示すように、本発明の例示的な実施形態による手順は、キャリア上での基準信号（ＲＳ）送信のための送信モードを少なくとも長期サイクル不連続送信（ＤＴＸ）モード及び短期サイクル不連続送信（ＤＴＸ）モードの中から設定する作動（Ｓ１１０）であって、長期サイクル不連続送信（ＤＴＸ）モードが短期サイクル不連続送信（ＤＴＸ）モードよりも長い送信不連続期間を有する上記作動と、設定された送信モードに従ってキャリア上での少なくとも１つの基準信号の送信を構成する作動（Ｓ１２０）とを含む。
【００３１】
従って、キャリア上でのＲＳ送信に関して少なくとも２つの異なるＤＴＸサイクルを提供する。これは、基本的に、キャリア上でのＲＳ送信のための少なくとも２つの異なるＤＴＸ送信モード（又は構成）に対応し、１つ又はそれよりも多くの基準信号の送信のために一方は「長期の」ＤＴＸサイクルを有し、他方は「短期の」ＤＴＸサイクルを有する。
【００３２】
本発明の例示的な実施形態により、少なくとも１つの基準信号の送信は、キャリア上でのサブフレームベースで構成することができる。この場合に、ＲＳ／複数のＲＳ（例えば、ＣＲＳ及び／又は他の基準信号を含む）は、それぞれのサブフレーム（又はサブフレーム期間）で送信され、キャリア上での少なくとも１つの基準信号の構成された送信は、基本的に、キャリア上で少なくとも１つの基準信号を搬送するサブフレームの相応に構成された送信に対応する。更に、長期サイクル及び短期サイクル不連続送信モードのうちのいずれか一方の送信不連続期間は、キャリア上でのサブフレーム期間の整数倍であり、好ましくは、ＴＴＩ（又はその期間のサブフレーム）よりも長い。
【００３３】
本発明の例示的な実施形態により、送信モードは、サービングセル及び／又は２次セル及び／又は測定オブジェクトセルとしてのキャリアのアクティブ化状態、及びキャリア上での無線リソース管理（ＲＲＭ）測定の期間のうちの少なくとも一方に基づいて設定することができる。
【００３４】
キャリアアクティブ化状態は、少なくとも１つの基準信号を送信するネットワーク要素（例えば、ｅＮｏｄｅＢ）のカバレッジエリア内にキャリア上でアクティブ化されたサービングセル（又はＰＣｅｌｌ）及び／又は２次セル（又はＳＣｅｌｌ）及び／又は構成された測定オブジェクトのうちの少なくとも１つを有する少なくとも１つの端末、例えば、対応するキャリア上で１つ又はそれよりも多くのアクティブ化されたＳＣｅｌｌを有する少なくとも１つの端末が存在する場合にアクティブ化された状態を取る。そうでなければ、少なくとも１つの基準信号を送信するネットワーク要素（例えば、ｅＮｏｄｅＢ）のカバレッジエリア内にそのような端末が存在しない時には、アクティブ化状態は、非アクティブ化状態を取る。以下で概要を示すように、キャリアアクティブ化状態は、モニタすることができ、又はこのモニタに基づいて、少なくとも１つの基準信号を送信するネットワーク要素（例えば、ｅＮｏｄｅＢ）によって決定することができる。
【００３５】
ＲＲＭ測定期間は、ＯＮ期間又はＯＦＦ期間を取る。ＲＲＭ測定期間は、少なくとも１つの基準信号を送信するネットワーク要素（例えば、ｅＮｏｄｅＢ）のカバレッジエリア内に又はＲＲＭ測定を実行する必要がある／実行を望むこの隣接セルのカバレッジエリア内に少なくとも１つの端末が存在する時にＯＦＦ期間を取ることができる。そうでなければ、少なくとも１つの基準信号を送信するネットワーク要素（例えば、ｅＮｏｄｅＢ）のカバレッジエリア内に又はこの隣接セルのカバレッジエリア内にこのような端末が存在しない時にＯＦＦ期間を取ることができる。以下で概要を示すように、対応するキャリアのためのＲＲＭ測定期間は、少なくとも１つの基準信号を送信するネットワーク要素（例えば、ｅＮｏｄｅＢ）によって確立（すなわち、構成）することができ、又はこの確立に基づいて決定することができる。
【００３６】
図２は、本発明の例示的な実施形態によるネットワーク側での手順の第２の例の概略図を示している。
【００３７】
図１と同様に、図２による例示的な手順は、通信システムの基地局又はアクセスノード（例えば、ｅＮｏｄｅＢ）のようなネットワーク要素（又はこのモデム）において又はそれによって実行することができる。
【００３８】
図２による例示的な手順は、図１による例示的な手順の修正／変形又は特定の実装と見なすことができる。この点において、図２による作動Ｓ２３０及びＳ２４０は、基本的に、図１による作動Ｓ１１０及びＳ１２０にそれぞれ対応する。従って、詳細は図１に関連する以上の説明を参照し、以下では、図２による例示的な手順の具体例を概説する。
【００３９】
基本的に、図２による例示的な手順は、本発明の例示的な実施形態に関連し、上記で概要を示すように、送信モードは、サービングセル及び／又は２次セル及び／又は測定オブジェクトセルとしてのキャリアのアクティブ化状態、及びキャリア上での無線リソース管理（ＲＲＭ）測定の期間のうちの少なくとも一方に基づいて設定される。
【００４０】
図２に示すように、本発明の例示的な実施形態による手順は、サービングセル及び／又は２次セル及び／又は測定オブジェクトセルとしてのキャリアの（アクティブ化／非アクティブ化された）アクティブ化状態を決定する作動（Ｓ２１０）、及び／又はキャリア上での無線リソース管理測定の（オン／オフ）期間を決定する作動（Ｓ２２０）を含むことができる。この点において、上記で概要を示すように、アクティブ化状態決定の作動（Ｓ２１０）は、キャリア上でアクティブ化されたサービングセル及び／又は２次セル及び／又は構成された測定オブジェクトのうちの少なくとも１つを有する端末の有無をモニタする段階を含むことができ、キャリアのアクティブ化状態がアクティブ化された状態として決定されるのは、少なくとも１つのこのような端末の存在がモニタされる時であり、キャリアのアクティブ化状態が非アクティブ化された状態として決定されるのは、このような端末の存在がモニタされない時であり、及び／又はリソース管理測定期間決定の作動（Ｓ２２０）は、キャリアに対するオン期間又はオフ期間を確立する段階を含むことができる。
【００４１】
上述の決定作動のうちのいずれか１つは、例えば、それぞれのパラメータが既に既知であるか（何らかの他のエンティティからの通知又は（事前）格納された情報のような何らかの他の手順の結果として）、又はそれぞれのパラメータが、下記の設定作動Ｓ２３０のようなその後の手順で使用されないことになっている時には、省略又は飛ばすことができる点に注意されたい。
【００４２】
図２に示すように、本発明の例示的な実施形態による手順において、基準信号（ＲＳ）送信のための送信モードを設定する作動（Ｓ２３０）は、例えば、図３に例示的に示すようなＲＳ送信の構成のためのキャリア関連の状態機械機構による（決定された）キャリアアクティブ化状態及び／又は（決定された）ＲＲＭ測定期間に基づいて達成することができる。
【００４３】
本発明の例示的な実施形態により、短期サイクルＤＴＸモードをキャリア上でのＲＳ送信のための送信モードとして設定することができるのは、キャリアのアクティブ化状態がアクティブ化された状態である（と決定された）時である。更に、長期サイクルＤＴＸモードをキャリア上でのＲＳ送信のための送信モードとして設定することができるのは、キャリアのアクティブ化状態が非アクティブ化された状態である（と決定された）時である。更に、長期サイクルＤＴＸモードをキャリア上でのＲＳ送信のための送信モードとして設定することができるのは、キャリアのアクティブ化状態が非アクティブ化された状態であり（と決定され）、かつキャリア上でのＲＲＭ測定期間がオン期間である（と決定された）時であり、キャリア上でいずれのＲＳ送信も行わない送信モードを設定することができるのは、キャリアのアクティブ化状態が非アクティブ化された状態であり（と決定され）、かつキャリア上でのＲＲＭ測定期間がオフ期間である（と決定された）時である。
【００４４】
図２に示すように、本発明の例示的な実施形態による手順において、キャリア上での少なくとも１つの基準信号の送信を構成する作動（Ｓ２４０）は、キャリア上で送信するように構成された少なくとも１つの基準信号を指定する段階を含むことができる。このようなＲＳ構成は、例えば、設定された送信モードに従って及び／又はキャリア上でのＲＲＭ測定の決定された（オン／オフ）期間に従って達成することができる。
【００４５】
本発明の例示的な実施形態により、特にキャリア上でのＲＲＭ測定期間がオン期間である（と決定される）時に、少なくとも１つのＲＳは、ＵＥにおいてキャリア上でのＲＲＭ測定を可能にするのに適する１つ又はそれよりも多くの基準信号を含む（ように指定する）ことができる。更に、特にキャリアのアクティブ化状態がアクティブ化された状態である（と決定される）時に、少なくとも１つのＲＳは、ＵＥにおいてキャリア上での時間同期、周波数同期、追跡、チャネル品質（例えば、ＣＱＩ）測定、チャネル推定、チャネル復調、及びＲＲＭ測定のうちの１つ又はそれよりも多くを可能にするのに適する１つ又はそれよりも多くのＲＳを含む（ように指定する）ことができる。
【００４６】
例えば、本発明の例示的な実施形態によるキャリア関連の基準信号送信の構成は、以下のように実施することができる。
【００４７】
長期ＤＴＸサイクルによる送信モードは、対応するキャリアが非アクティブ化されたＳＣｅｌｌであり又は単に構成された測定オブジェクトを含むセルのいずれかである場合のＵＥに関して作動可能である。この場合に、基準記号（例えば、ＰＳＳ／ＳＳＳ／ＰＢＣＨ、並びにＣＲＳ及び／又はＣＳＩ−ＲＳの組合せとすることができる）が、ＲＲＭ測定を実行するのに使用可能である。従って、これらの記号が供給される周波数は比較的低くなることがあり、すなわち、（以下の場合と比較して）めったに送信する必要がない。
【００４８】
短期ＤＴＸサイクルによる送信モードは、対応するキャリア上でアクティブ化されたＳＣｅｌｌを有するＵＥに関して作動可能である。この場合に、基準信号は、同期、その他を維持して、場合によっては、ＣＱＩ測定などを実行する必要があるので、これらの記号が供給される周波数は比較的高くなることがあり、すなわち、（上述の場合と比較して）より頻繁に送信しなければならない。
【００４９】
従って、対応するキャリア上でアクティブ化されたＳＣｅｌｌを有するＵＥが存在しない時に、ｅＮｏｄｅＢなどは、ＲＳ送信のための長期ＤＴＸサイクルによる送信モードに切り換えることができ、従って、対応するキャリアにおいて構成された非アクティブ化されたＳＣｅｌｌ又は少なくとも構成された測定オブジェクトを含むＵＥがある限り、短期ＤＴＸサイクルを維持する必要がある場合と比較してより高いエネルギ節約を可能にする。
【００５０】
図３は、本発明の例示的な実施形態による基準信号送信の構成のためのキャリア関連の状態機械の概略図を示している。
【００５１】
上述したように、図３によるキャリア関連の状態機械は、図２による設定作動（Ｓ２３０）のような本発明の例示的な実施形態による基準信号送信の構成のために使用することができる。
【００５２】
図３において、用語「完全ＲＳ  ＴＸ」及び「短期ＤＴＸサイクルＲＳ  ＴＸ」、並びに用語「短縮ＲＳ  ＴＸ」及び「長期ＤＴＸサイクルＲＳ  ＴＸ」は、均等物と見なすことができ、いずれも、時間領域におけるＲＳ送信構成をそれぞれ指す。これに代えて、これらの用語は、ＲＳ  ＴＸの中身（例えば、送信するように構成された基準信号）及びＲＳ送信の時間領域構成をそれぞれ指すと見なすことができる。この点においては、図２による作動Ｓ２３０及びＳ２４０のそれぞれと共に以上の説明を参照されたい。
【００５３】
図４は、本発明の例示的な実施形態によるサブフレームベースの基準信号送信の構成の例のタイムチャートを示している。
【００５４】
図４によるサブフレームベースの基準信号送信の例示的な時間領域構成は、例に過ぎない図３によるキャリア関連の状態機械に基づいている。更に、図４によるサブフレームベースの基準信号送信の例示的な時間領域構成は、ＲＲＭ測定のオン及びオフ期間の両方における送信に関して、１つ又は複数の同じ基準信号、すなわち、ＣＲＳ、ＣＳＩ−ＲＳ、ＰＳＳ、ＳＳＳ、及びＰＢＣＨのうちのいずれかの考え得る組合せが構成されることを前提とする。
【００５５】
図４から明らかなように、本発明の例示的な実施形態によるキャリア関連の基準信号送信の構成は、以下のように実施することができる。
【００５６】
図４の例において、ＲＲＭ測定ＯＮ期間中に、ｅＮＢは、（周波数及び）時間領域において与えられた構成、例えば、短縮／長期ＤＴＸサイクルのＲＳ送信（すなわち、長／低時間分解能）によりＣＲＳ及び／又は他のＲＳ（例えば、ＣＳＩ−ＲＳ、ＰＳＳ／ＳＳＳ）を送信する。ここではＳＣｅｌｌ「アクティブ化」状態とＳＣｅｌｌ「非アクティブ化」状態とを区別していないが、それは、図３によるキャリア関連の状態機械に従って適用することができる。
【００５７】
図４の例において、ＲＲＭ測定ＯＦＦ期間中に、ＳＣｅｌｌ「アクティブ化」状態とＳＣｅｌｌ「非アクティブ化」状態とが区別される。キャリアがＳＣｅｌｌ「非アクティブ化」状態にある場合に、ｅＮｏｄｅＢは単に「空の」サブフレームを送信するだけであり、すなわち、ＣＲＳ及び／又は他のＲＳ（例えば、ＣＳＩ−ＲＳ、ＰＳＳ／ＳＳＳ）は送信されない。この場合に、ｅＮｏｄｅＢは、他の端末のＲＲＭ測定などに影響を与えずに、対応するキャリア上での送信を完全にオフに切り換えることができる。キャリアがＳＣｅｌｌ「アクティブ化」状態にある場合に、ｅＮｏｄｅＢは、（周波数及び）時間領域において与えられた構成、例えば、完全／短期ＤＴＸサイクルのＲＳ送信（すなわち、短／高時間分解能）によりＣＲＳ及び／又は他のＲＳ（例えば、ＣＳＩ−ＲＳ、ＰＳＳ／ＳＳＳ）を送信する。
【００５８】
上記から明らかなように、ＲＲＭ測定のＯＮ及びＯＦＦ期間中に使用される（周波数及び）時間領域におけるＲＳ（例えば、ＣＲＳ／ＣＳＩ−ＲＳ／ＰＳＳ／ＳＳＳ／ＰＢＣＨ構成）は、同じとすることができる。複数のＣＲＳ／ＣＳＩ−ＲＳ／ＰＳＳ／ＳＳＳ／ＰＢＣＨ構成を達成する必要がないので、このような同じ構成は、ｅＮｏｄｅＢ、同様にＵＥの実装を簡略化することができる。
【００５９】
図５は、本発明の例示的な実施形態による手順の第３の例の概略図を示している。
【００６０】
図５による手順は、本発明の例示的な実施形態による可能な例を表している。
【００６１】
一般的に、ＲＲＭ測定ＯＦＦ期間は、非常に高い値、例えば、数百ミリ秒又は数秒にさえ設定することができる点に注意されたい。一方、ＲＲＭ測定ＯＮ期間は、ＵＥが、まず対応するキャリアに時間及び周波数同期し、次に、必要な測定を実行することができるように十分長くしなければならない。これは、ＲＲＭ測定のＯＮ期間中にＲＳ（ＣＲＳ／ＣＳＩ−ＲＳ／ＰＳＳ／ＳＳＳ／ＰＢＣＨのような）が供給される周期性次第である。しかし、ＣＲＳ／ＣＳＩ−ＲＳ／ＰＳＳ／ＳＳＳ／ＰＢＣＨサブフレームが約５ｍｓ毎に供給されると仮定すれば、数十ミリ秒のＲＲＭ測定ＯＮ期間で十分であるべきである。
【００６２】
図５による作動Ｓ５１０において、当該キャリア上でデータスケジューリングを開始することができ、及び／又は当該キャリアをオンに切り換えることができる。データがｅＮｏｄｅＢバッファに到着して、ｅＮｏｄｅＢが、本発明の例示的な実施形態によってキャリア上でデータのスケジューリング（すなわち、キャリアタイプ）の開始を決定すると、ｅＮｏｄｅＢは、まず自己のＰＣｅｌｌを用いて対応するＵＥにアクティブ化メッセージを送信する。同時に、ｅＮｏｄｅＢは、キャリアをオンに切り換えて、図５による作動Ｓ５２０に示すように、ＲＲＭ測定ＯＦＦ期間中に指定の構成でＲＳ（ＣＲＳ／ＣＳＩ−ＲＳ／ＰＳＳ／ＳＳＳ／ＰＢＣＨのような）の送信を開始する。図５による作動Ｓ５３０に示すように、データ送信中に、ＣＲＳ及び／又はＣＳＩ−ＲＳはまた、ＣＱＩ推定、時間及び周波数追跡、ＲＲＭ測定、その他を使用することもできる。ＳＣｅｌｌアクティブ化状態中に、ＲＳ（ＣＲＳ／ＣＳＩ−ＲＳ／ＰＳＳ／ＳＳＳ／ＰＢＣＨのような）は、指定の構成で送信される。ｅＮｏｄｅＢからアクティブ化メッセージを受信すると、ＵＥは、時間及び周波数同期を実行し、例えば、ＰＣｅｌｌからの交差ＣＣスケジューリングを用いてスケジュールされた対応するキャリア上で例えばＰＤＳＣＨを通じたデータの受信を開始することができる。
【００６３】
対応するキャリア上でアクティブ化されたＳＣｅｌｌを少なくとも有する端末が存在する限り、ｅＮｏｄｅＢは、アクティブ化されたＵＥがこれを期待しているので、構成された時間間隔でＲＳ（ＣＲＳ／ＣＳＩ−ＲＳ／ＰＳＳ／ＳＳＳ／ＰＢＣＨサブフレームのような）を供給する（図５による作動Ｓ５３０を参照）。考慮されるキャリアとやり取りをする非アクティブ化されたＳＣｅｌｌのみを有する端末のための前提事項は、ｅＮｏｄｅＢが、ＲＳ（ＣＲＳ／ＣＳＩ−ＲＳ／ＰＳＳ／ＳＳＳ／ＰＢＣＨサブフレームのような）をＲＲＭ測定ＯＮ期間中に送信するだけになることである（図５による作動Ｓ５４０を参照）。
【００６４】
上記から明らかなように、図１及び２に示す手順のような本発明の例示的な実施形態による手順は、対応するキャリアがオンに切り換えられ、及び／又は対応するキャリア上でのデータスケジューリングが開始される時に作動可能にすることができる。
【００６５】
以上の説明では、ネットワーク側、例えば、ｅＮｏｄｅＢにおける作動及び機能にフォーカスを当てているが、端末側、例えば、ＵＥにおける対応する作動及び機能が、本発明の例示的な実施形態によって同等にそれぞれ包含されることを理解しなければならない。端末側、例えば、ＵＥにおけるこのような作動及び機能は、ネットワーク側、例えば、ｅＮｏｄｅＢにおける作動及び機能の以上の説明に照らせば、当業者に対しては自明の理であると思われる。
【００６６】
例えば、端末は、（上記で概要を示すような）設定された送信モードによる構成を用いて、対応する基地局又はアクセスノードからのキャリア上で少なくとも１つの基準信号の送信を受け取り、時間同期、周波数同期、追跡、ＣＱＩ測定、チャネル推定、チャネル復調、及びＲＲＭ測定のような対応する作動を実行するように構成することができる。端末によって実行される作動又は測定は、例えば、自己のＳＣｅｌｌ状態及び／又は現在のＲＲＭ測定期間次第とすることができる。
【００６７】
例えば、端末は、ＲＲＭ測定ＯＦＦ期間中もｅＮｏｄｅＢがＲＳ（ＣＲＳ／ＣＳＩ−ＲＳ／ＰＳＳ／ＳＳＳ／ＰＢＣＨサブフレームのような）を送信しているか否かを調査し又はモニタするように、及び場合によってはこのような期間中にＲＲＭ測定も同様に実行するように構成することができる。
【００６８】
図６は、本発明の例示的な実施形態による例示的な情報交換手順の概略図を示している。
【００６９】
図６に示すように、キャリアのための／上のＲＳ  ＴＸ構成及び／又は送信モード設定に関する情報は、通信システムで作動可能な様々なエンティティ間でやり取りすることができる。
【００７０】
例えば、基地局又はアクセスノードＢＳ１が、図１及び／又は２による手順が実行されるネットワーク要素を表すと仮定すれば、対応する情報（例えば、キャリア上での少なくとも１つの基準信号の送信構成に関する情報）は、ＢＳ２のような（すなわち、別の）基地局又はアクセスノード、及び／又は端末ＵＥ１に信号伝達することができる。ＢＳ２のような（すなわち、他の）基地局又はアクセスノード、及び／又は端末ＵＥ１の観点からすれば、対応する情報（例えば、キャリア上での少なくとも１つの基準信号の送信構成に関する情報）は、基地局又はアクセスノードＢＳ１から（の受信を通して）取得することができる。基地局又はアクセスノード間、すなわち、ｅＮｏｄｅＢ間の情報のやり取りは、例えば、Ｘ２インタフェースを通して達成することができる。基地局又はアクセスノードと端末の間の情報のやり取りは、例えば、ＲＲＣ信号伝達によって達成することができる。
【００７１】
この点において、基地局又はアクセスノードの／からの（ＲＳ）送信モードは、端末の／ための（ＲＳ）受信モードに対応し、すなわち、受信モードとして設定される。
【００７２】
このような情報のやり取りを通して、受信（すなわち、端末）側における１つ又は複数の受信及び／又は測定セット（当該キャリア上の／のための）の構成を円滑にすることができる。受信（すなわち、端末）側では、このように取得した情報を受信モード決定及び／又は設定、キャリア作動などに関して利用することができる。この点において、受信モードとは、実際のＲＳ受信作動及び／又はＲＳ（ＲＲＭベースの）測定作動を指す。
【００７３】
図７は、本発明の例示的な実施形態による端末側での手順の第１の例の概略図を示している。
【００７４】
図７による例示的な手順は、通信システムで作動可能なユーザ機器（例えば、ＵＥ）のような端末（又はこのモデム）において又はそれによって実行することができる。
【００７５】
図７に示すように、本発明の例示的な実施形態による手順は、通信システムの基地局又はアクセスノードからのキャリア上での基準信号送信のための送信モード（すなわち、ネットワーク側送信モード）を少なくとも長期サイクル不連続送信モード及び短期サイクル不連続送信モードの中から決定する作動（Ｓ７１０）であって、長期サイクル不連続送信モードが、短期サイクル不連続送信モードよりも長い送信不連続期間を有する上記作動と、決定された（ネットワーク側）送信モードをキャリア上での基準信号受信のための受信モード（すなわち、端末側受信モード）として設定する作動（Ｓ７２０）とを含む。
【００７６】
従って、キャリア上でのＲＳ受信及び／又は測定に関して少なくとも２つの異なるＤＴＸサイクルを例えば端末側で設定することができる。これは、基本的に、キャリア上でのＲＳ受信のための少なくとも２つの異なるＤＴＸ受信モード（又は構成）に対応し、１つ又はそれよりも多くの基準信号の受信のために一方は「長期」ＤＴＸサイクルを有し、他方は「短期」ＤＴＸサイクルを有する。
【００７７】
本発明の例示的な実施形態により、ＵＥは、ネットワークの作動モードを決定し、これに応じて、自己の作動モード、すなわち、自己の受信／測定パターンを調整することができる（例えば、測定パターンを変更し、又はより緩やかな測定条件を有することにより）。
【００７８】
図８は、本発明の例示的な実施形態による端末側での手順の第２の例の概略図を示している。
【００７９】
図７と同様に、図８による例示的な手順は、通信システムで作動可能なユーザ機器（例えば、ＵＥ）のような端末（又はこのモデム）において又はそれによって実行することができる。
【００８０】
図８による例示的な手順は、図７による例示的な手順の修正／変形又は特定の実装と見なすことができる。この点において、図８による作動Ｓ８１０及びＳ８２０は、基本的に、図７による作動Ｓ７１０及びＳ７２０にそれぞれ対応する。従って、詳細は図７に関連する以上の説明を参照し、以下では、図８による例示的な手順の具体例を概説する。
【００８１】
図８に示すように、本発明の例示的な実施形態による手順は（例えば、端末側でのＴＸモード決定との関連で）、キャリア上での少なくとも１つの基準信号の（ネットワーク側）送信構成に関する情報を通信システムの基地局又はアクセスノードから取得する作動を含み、この情報は、キャリア上での基準信号受信に関して設定される（端末側）受信モードを示しており、及び／又は通信システムの基地局又はアクセスノードから送信されるキャリア上でＲＲＭ測定を実行する作動を含むことができる。
【００８２】
取得作動において、対応する情報（例えば、キャリア上での少なくとも１つの基準信号の（ネットワーク側）送信構成に関する情報）は、上述の図６に示すように、例えば、基地局又はアクセスノードからの信号伝達に基づいて受信することができる。ＲＲＭ測定作動において、上述の図６に示すように、基地局又はアクセスノードによって送信されるような当該キャリアを測定することができ、それによって対応する情報（例えば、キャリア上での少なくとも１つの基準信号の（ネットワーク側）送信構成に関する情報）を取得／決定する。
【００８３】
図８に示すように、作動Ｓ８１０及びＳ８２０の実現とは無関係に、本発明の例示的な実施形態による手順は、キャリア上での基準信号受信に対して設定された（端末側）受信モードとキャリア上での少なくとも１つの基準信号の（端末側）受信構成とのうちの少なくとも一方に基づいてキャリアを作動させ及び／又はキャリア上でのいずれかの手順を達成する作動（Ｓ８３０）を含むことができる。
【００８４】
上記で概要を示すように、ＵＥは、特定の時刻において特定のキャリア上でいずれのＲＳ構成が使用されるかを（自律で又は例えばｅＮｏｄｅＢによって外部から通知されて）決定することができ、その結果、これに応じて作動させることができる。異なるＲＳ  ＴＸ構成及び／又は異なるＴＸモードに関して異なる条件を指定することができるので、このような対応する作動は、当該キャリア上でのＲＳ受信構成及び／又は受信モードに従って対応する１つ又は複数の条件を適用する段階を含むことができる。
【００８５】
それによってＵＥは、特定のキャリアがいずれの条件下（例えば、いずれのＲＳ構成）で作動するか（特に、キャリアが、対応するＵＥに関してＰＣｅｌｌ又はＳＣｅｌｌとして構成されていない場合）を確実に知ることができる。ＵＥには、上記で概要を示すように、（長期及び短期ＤＴＸ期間に対応する）少なくとも２つのＲＳ構成でキャリアが作動可能であることを（例えば、ＲＲＣ信号伝達を用いて）通知することができ、又はＵＥが自律で（例えば、ＲＲＭ測定を用いて）認識することができる。
【００８６】
上述したように、ＵＥは、ＲＲＭ測定ＯＦＦ期間中もｅＮｏｄｅＢがＲＳ（ＣＲＳ／ＣＳＩ−ＲＳ／ＰＳＳ／ＳＳＳ／ＰＢＣＨサブフレームのような）を送信しているか否かを調査し又はモニタするように、及び場合によってはこのような期間中にＲＲＭ測定も同様に実行するように構成することができる。
【００８７】
従って、本発明の例示的な実施形態により、ネットワーク側での設定及び構成作動を端末側で有利に利用することができ、すなわち、端末側は、これに調整することができる。
【００８８】
上記を考慮すれば、本発明の例示的な実施形態は、キャリア関連の基準信号送信の高度な構成を提供する。本発明の例示的な実施形態によるキャリア関連の基準信号送信の構成は、高速トラフィック変動への適応性及びエネルギ節約の可能性強化を実現することができる。
【００８９】
例えば、本発明の例示的な実施形態は、キャリア関連の基準信号送信の構成、並びに例えば３ＧＰＰリリース１１以降に適用可能にすることができる新しいキャリア又はキャリアタイプ自体（すなわち、キャリア又はこれに応じて構成され、又は構成可能なキャリアタイプ）のための対応する機構（機能的及び構造的特性を含む）として、及び／又は本発明の例示的な実施形態による基準信号送信のこのような構成のためのキャリア関連の状態機械として実施し又はそれと見なすことができる。
【００９０】
本発明の例示的な実施形態に基づいて、ｅＮｏｄｅＢにおけるエネルギ節約の増大が達成可能な一方、高速トラフィック変動への適応性を容易にする。このような特性が達成可能なのは、このように構成されたキャリア又はキャリアタイプにおけるＲＳ送信は、対応するキャリア上で構成された全ＳＣｅｌｌが非アクティブ化されると直ちにオフに切り換えることができるからである。
【００９１】
本発明の例示的な実施形態に基づいて、ＲＲＭ測定のためのＲＳは、特定の期間中（ＲＲＭ測定ＯＮ期間中）にのみ利用可能にすることができる場合がある。また、ＲＲＭ測定のＯＮ及びＯＦＦ期間の構成を考慮して、ＵＥ固有のＤＲＸパラメータを設定することができる。この点において、上述したように、ＵＥは、ＲＲＭ測定ＯＦＦ期間中も、ｅＮｏｄｅＢがＲＳを送信しているか否かを「調査」して、キャリアがアクティブの場合に測定を実行することが可能な場合がある。このような作動が可能になるのは、ＵＥが自律モードでキャリアＲＲＭ測定を達成する時である。
【００９２】
上述の手順及び機能は、以下のようなそれぞれの機能要素又はプロセッサなどによって達成可能である。
【００９３】
上記では本発明の例示的な実施形態を方法、手順、及び機能を主に参照して説明したが、本発明の対応する例示的な実施形態はまた、それぞれの装置、ネットワークノード、並びにソフトウエア及び／又はハードウエアの両方を含むシステムも包含する。
【００９４】
本発明のそれぞれの例示的な実施形態を以下で図９を参照して説明するが、簡潔にするために図１から８によるそれぞれの対応するスキーム、方法及び機能、原理、及び作動の詳細説明を参照されたい。
【００９５】
以下の図９では、実線のブロックは、上述したようなそれぞれの作動を実行するように基本的に構成される。実線のブロック全体は、上述したような方法及び作動をそれぞれ実行するように基本的に構成される。図９に関連して、個々のブロックは、それぞれの機能、処理、又は手順をそれぞれ実施するそれぞれの機能ブロックを示すものであることに注意されたい。このような機能ブロックは、実装非依存であり、すなわち、あらゆる種類のハードウエア又はソフトウエアを用いてそれぞれ実施することができる。個々のブロックを連結する矢印及び線は、物理及び／又は論理結合が可能なこれらの間の作動結合を示すものであり、一方で実装非依存であり（例えば、有線又は無線）、他方で図示していない任意の数の中間機能エンティティを含むことができる。矢印の方向は、特定の作動が実行される方向、及び／又は特定のデータが転送される方向を示すものである。
【００９６】
更に、図９には、上述の方法、手順、及び機能のうちのいずれか１つに関連するこれらの機能ブロックのみを示している。当業者は、それぞれの構造配置の作動に必要な他のあらゆる従来の機能ブロック、例えば、電源、中央演算処理装置、それぞれのメモリなどが存在することは認識されると考えられる。取りわけ、メモリは、個々の機能エンティティが本明細書で説明するように作動するのを制御するためのプログラム又はプログラム命令を格納するために設けられる。
【００９７】
図９は、本発明の例示的な実施形態による例示的な装置の概略図を示している。
【００９８】
上記を考慮すれば、このように示す装置１０及び２０は、本明細書で説明するような本発明の例示的な実施形態を実施する際に使用するのに適している。
【００９９】
このように示す装置１０は、基地局又はアクセスノードのようなネットワーク要素（の一部分）（例えば、このモデム）を表すことができ、図１から６のうちのいずれか１つから明らかなような手順を実行し及び／又は機能を示すように構成することができる。このように示す装置２０は、ＵＥのような端末（の一部分）（例えば、このモデム）を表すことができ、図６から８のうちのいずれか１つから明らかなような対応する手順を実行し及び／又は対応する機能を示すように構成することができる。
【０１００】
図９に示すように、本発明の例示的な実施形態により、装置１０／２０の各々は、バス１４／２４などによって接続したプロセッサ１１／２１と、メモリ１２／２２と、インタフェース１３／２３とを含み、装置は、リンクを通してそれぞれ接続することができる。
【０１０１】
プロセッサ１１／２１及び／又はインタフェース１３／２３は、（有線又は無線）リンク上での通信をそれぞれ円滑にするためにモデムなども含むことができる。インタフェース１３／２３は、連結された又は接続したデバイスとの（有線又は無線）通信のために、それぞれ１つ又はそれよりも多くのアンテナ又は通信手段に結合された適切な送受信機を含むことができる。インタフェース１３／２３は、一般的に、少なくとも１つの他の装置、すなわち、そのインタフェースと通信するように構成される。
【０１０２】
メモリ１２／２２は、それぞれのプロセッサによって実行された時にそれぞれの電子デバイス又は装置が本発明の例示的な実施形態によって作動することを可能にするプログラム命令又はコンピュータプログラムコードを含むと仮定されるそれぞれのプログラムを格納することができる。
【０１０３】
一般的に、それぞれのデバイス／装置（及び／又はその一部）は、それぞれの作動を実行する及び／又はそれぞれの機能を示すための手段を表すことができ、及び／又はそれぞれのデバイス（及び／又はその一部）は、それぞれの作動を実行する及び／又はそれぞれの機能を示すための機能を有することができる。
【０１０４】
以下の説明において、プロセッサ（又は何らかの他の手段）が何らかの機能を実行するように構成されると説明する時には、１つの（すなわち、少なくとも１つの）プロセッサ又は対応する回路構成が、場合によっては、それぞれの装置のメモリに格納されたコンピュータプログラムコードと連動して、装置に少なくともこのように言及した機能を実行させるように構成されると記述する説明に等しいと解釈しなければならない。また、このような機能は、それぞれの機能を実行するために特に構成された回路構成又は手段によって同等に達成可能であると解釈しなければならない（すなわち、「ｘｘｘを実行する（装置に実行させる）ように構成されたプロセッサ」という表現は、「ｘｘｘするための手段」のような表現に等しいと解釈しなければならない）。
【０１０５】
この最も基本的な形式では、本発明の例示的な実施形態により、装置１０又はそのプロセッサ１１は、キャリア上での基準信号送信のための送信モードを少なくとも長期サイクル不連続送信モード及び短期サイクル不連続送信モードの中から設定する段階を実行するように構成され、長期サイクル不連続送信モードは、短期サイクル不連続送信モードよりも長い送信不連続期間を有し、更に、設定された送信モードに従ってキャリア上での少なくとも１つの基準信号の送信を構成する段階を実行するように構成される。
【０１０６】
従って、言い換えれば、装置１０は、設定するための手段と構成するための手段とのそれぞれの手段を含むことができる。
【０１０７】
上記で概要を示すように、高度な形式では、装置１０は、キャリアアクティブ化状態を決定するための手段（場合によっては、対応する作動条件を有する端末の有無をモニタするための手段を含む）と、ＲＲＭ測定期間を決定するための手段（場合によっては、オン／オフ期間を確立するための手段を含む）と、及び／又は少なくとも１つの基準信号を指定するための手段とのそれぞれの手段のうちの１つ又はそれよりも多くを含むことができる。
【０１０８】
この最も基本的な形式では、本発明の例示的な実施形態により、装置２０又はそのプロセッサ２１は、通信システムの基地局又はアクセスノードからのキャリア上での基準信号送信のための送信モードを少なくとも長期サイクル不連続送信モード及び短期サイクル不連続送信モードの中から決定する段階を実行するように構成され、長期サイクル不連続送信モードは、短期サイクル不連続送信モードよりも長い送信不連続期間を有し、更に、決定された送信モードをキャリア上での基準信号受信のための受信モードとして設定する段階を実行するように構成される。
【０１０９】
従って、言い換えれば、装置２０は、決定するための手段と設定するための手段とのそれぞれの手段を含むことができる。
【０１１０】
上記で概要を示すように、高度な形式では、装置２０は、少なくとも１つの基準信号の送信構成に関する情報を取得するための手段と、キャリア上で無線リソース管理測定を実行するための手段と、及び／又はキャリアを作動させ及び／又はキャリア上でのいずれかの手順を達成する手段とのそれぞれの手段のうちの１つ又はそれよりも多くを含むことができる。
【０１１１】
個々の装置の作動性／機能性に関する更なる詳細は、図１から５のいずれか１つに関連する以上の説明をそれぞれ参照されたい。
【０１１２】
本発明の例示的な実施形態により、プロセッサ１１／２１、メモリ１２／２２、及びインタフェース１３／２３は、個々のモジュール、チップ、チップセット、回路構成などとして実施することができ、又はこれらのうちの１つ又はそれよりも多くは、共通モジュール、チップ、チップセット、回路構成などとしてそれぞれ実施することができる。
【０１１３】
本発明の例示的な実施形態により、システムは、このように示すデバイス／装置及び他のネットワーク要素のあらゆる考え得る組合せを含むことができ、これらは、上述したように協働するように構成される。
【０１１４】
一般的に、上述の態様によるそれぞれの機能ブロック又は要素は、それぞれの部分の説明した機能を実行するようにさえ適合されていれば、ハードウエア及び／又はソフトウエアのいずれかそれぞれであらゆる公知の手段によって達成可能であることに注意されたい。言及する方法段階は、個々の機能ブロックで又は個々のデバイスにより達成可能であり、又は方法段階の１つ又はそれよりも多くは、単一の機能ブロックで又は単一のデバイスにより達成可能である。
【０１１５】
一般的に、いずれの方法段階も、本発明の発想を変えることなくソフトウエアとして又はハードウエアによって実施されるのに適している。このようなソフトウエアは、ソフトウエアコード非依存とすることができ、方法段階によって定義される機能が保たれる限り、例えば、Ｊａｖａ（登録商標）、Ｃ＋＋、Ｃ、及びアセンブラのようなあらゆる公知の又は将来開発されるプログラミング言語を用いて指定することができる。このようなハードウエアは、ハードウエア非依存とすることができ、ＭＯＳ（金属酸化膜半導体）、ＣＭＯＳ（相補型ＭＯＳ）、ＢｉＭＯＳ（バイポーラＭＯＳ）、ＢｉＣＭＯＳ（バイポーラＣＭＯＳ）、ＥＣＬ（エミッタ結合型論理回路）、ＴＴＬ（トランジスタ-トランジスタ論理回路）などのようなあらゆる公知の又は将来開発されるハードウエア技術又はこれらのいずれかの混成を用いて実施することができ、これらは、例えば、ＡＳＩＣ（特定用途向けＩＣ（集積回路））構成要素、ＦＰＧＡ（フィールド・プログラマブル・ゲート・アレイ）構成要素、ＣＰＬＤ（結合プログラマブル・ロジック・デバイス）構成要素、又はＤＳＰ（デジタルシグナルプロセッサ）構成要素を用いるものである。デバイス／装置は、半導体チップ、チップセット、又はこのようなチップ又はチップセットを含む（ハードウエア）モジュールによって表すことができるが、しかし、これは、デバイス／装置又はモジュールの機能が、ハードウエア実装される代わりに、プロセッサ上で実行／起動するための実行可能ソフトウエアコード部分を含むコンピュータプログラム又はコンピュータプログラム製品のような（ソフトウエア）モジュールでソフトウエアとして達成可能である可能性を除外するものではない。デバイスは、例えば、機能的に相互に協働しようと、機能的に相互に独立しているが同じデバイスハウジング内にあろうと、デバイス／装置として又は１つよりも多いデバイス／装置のアセンブリとして見なすことができる。
【０１１６】
装置及び／又は手段又はその一部は、個々のデバイスとして実施することができるが、これは、デバイスの機能が保たれる限り、これらをシステムにわたって分散方法で実施することができることを除外するものではない。そのような及び類似の原理は、当業者には公知であると考えるものとする。
【０１１７】
本説明の意味におけるソフトウエアは、それぞれの機能を実行するためのコード手段又は部分を含むようなソフトウエアコード、又はコンピュータプログラム又はコンピュータプログラム製品、並びにそれぞれのデータ構造又はコード手段／部分を格納させたコンピュータ可読（ストレージ）媒体のような有形媒体上に具現化された又は場合によってはそれらの処理中に信号又はチップに具現化されたソフトウエア（又はコンピュータプログラム又はコンピュータプログラム製品）を含む。
【０１１８】
本発明はまた、方法及び構造配置の上述の概念が適用可能な限り、上述の方法段階及び作動の考え得るあらゆる組合せ、並びに上述のノード、装置、モジュール、又は要素の考え得るあらゆる組合せも包含する。
【０１１９】
上記に鑑みて、キャリア関連の基準信号送信の構成の手段を提供した。このような手段は、例示的に、キャリア上での基準信号送信のための送信モードを少なくとも長期サイクル不連続送信モード及び短期サイクル不連続送信モードの中から設定することであって、長期サイクル不連続送信モードが、短期サイクル不連続送信モードよりも長い送信不連続期間を有する上記設定することと、設定された送信モードに従ったキャリア上での少なくとも１つの基準信号の送信の構成とを含む。送信モード設定は、例えば、サービングセル及び／又は２次セル及び／又は測定オブジェクトセルとしてのキャリアのアクティブ化状態と、キャリア上での無線リソース管理測定の期間とのうちの少なくとも一方に基づくことができる。
【０１２０】
本発明の例示的な実施形態による手段は、３ＧＧＰ及び／又は３ＧＰＰ２のあらゆる関連の標準規格など、例えば、ＵＭＴＳ標準規格及び／又はＨＳＰＡ標準規格及び／又はＬＴＥ標準規格（ＬＴＥアドバンスト及びこの進化形を含む）及び／又はＷＣＤＭＡ（登録商標）標準規格に準拠する通信システムのためなどのあらゆる種類のネットワーク環境に対して適用することができる。
【０１２１】
添付図面による例を参照して本発明を上記で説明したが、本発明は、これに限定されないことは理解されるものとする。むしろ、本発明は、本明細書に開示するような発明の発想の範囲から逸脱することなく多くの方法で修正することができることは当業者には明らかである。
【０１２２】
頭字語及び略語の一覧
３ＧＰＰ  第３世代パートナーシッププロジェクト
ＣＡ  キャリア集約
ＣＣ  コンポーネントキャリア
ＣＱＩ  チャネル品質情報
ＣＲＳ  共通基準信号
ＣＳＩ  チャネル状態情報
ＣＳＩ−ＲＳ  チャネル状態情報基準信号
ＤＲＸ  不連続受信
ＤＴＸ  不連続送信
ｅＮｏｄｅＢ  進化型ノードＢ（Ｅ−ＵＴＲＡＮ基地局）
ＨＳＰＡ  高速パケットアクセス
ＰＢＣＨ  物理的ブロードキャストチャネル
ＰＣｅｌｌ  １次セル
ＰＤＳＣＨ  物理ダウンリンク共有チャネル
ＰＳＳ  １次同期信号
ＲＲＣ  無線リソース制御
ＲＲＭ  無線リソース管理
ＲＳ  基準信号
ＳＣｅｌｌ  ２次セル
ＳＳＳ  ２次同期信号
ＴＴＩ  伝送時間間隔
ＴＸ  送信
ＵＥ  ユーザ機器
ＵＭＴＳ  ユニバーサル移動体電気通信システム
ＵＴＲＡＮ  ユニバーサル地上波無線アクセスネットワーク
ＷＣＤＭＡ（登録商標）  広帯域符号分割多元接続
【符号の説明】
【０１２３】
ＣＲＳ  基準信号
ＯＦＦ  オフ
ＯＮ  オン
ＳＣｅｌｌ  キャリア上のセル
【図１】
0006001100.tif 000002
【図２】
0006001100.tif 000003
【図３】
0006001100.tif 000004
【図５】
0006001100.tif 000005
【図６】
0006001100.tif 000006
【図７】
0006001100.tif 000007
【図８】
0006001100.tif 000008
【図９】
0006001100.tif 000009
【図４】
0006001100.tif 000010